【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
通信装置であって、
実行するサービスを指定して無線通信を行うための第１の選択肢と接続先を指定して無線通信を行うための第２の選択肢とを少なくとも含む選択肢を、前記通信装置が他の通信装置の実行可能なサービスを検出するサービス検出処理を実行する前に提示する提示手段と、
前記第１の選択肢および前記第２の選択肢を含む複数の選択肢のうちの何れかをユーザ操作に従って選択する選択手段と、
を有することを特徴とする通信装置。
【請求項２】
前記選択手段によって前記第１の選択肢が選択された場合、第１の通信層における通信に基づいて、他の通信装置が実行可能なサービスを検出するサービス検出処理を実行する第１の検出手段と、
前記選択手段によって前記第２の選択肢が選択された場合、前記第１の通信層と異なる第２の通信層における通信に基づいて、他の通信装置が実行可能なサービスを検出するサービス検出処理を実行する第２の検出手段と、
を有することを特徴とする請求項１に記載の通信装置。
【請求項３】
前記通信装置は、
前記選択手段によって前記第１の選択肢が選択された場合、前記第１の検出手段によって検出された、指定されたサービスを実行可能な他の通信装置と当該指定されたサービスを実行するための通信を行うことを特徴とする請求項２に記載の通信装置。
【請求項４】
前記選択手段によって前記第２の選択肢が選択された場合、無線通信可能な範囲に存在する他の通信装置を探索する探索手段を更に有し、
前記第２の検出手段は、前記探索手段による探索によって検出された他の通信装置のうち指定された他の通信装置と前記第１の通信装置において接続した後に、前記第２の通信層における通信に基づくサービス検出処理を実行し、
前記通信装置は、前記第２の通信層における通信に基づくサービス検出処理により検出されたサービスのうち指定されたサービスを、接続した他の通信装置と実行するための通信を行うことを特徴とする請求項２または３に記載の通信装置。
【請求項５】
第１の通信層における通信に基づいて、他の通信装置が実行可能なサービスを検出する第１の検出手段と、
前記第１の通信層と異なる第２の通信層における通信に基づいて、他の通信装置が実行可能なサービスを検出する第２の検出手段と、
実行するサービスを指定して無線通信を行う第１の選択肢または接続先を指定して無線通信を行う第２の選択肢を選択する選択手段と、
前記第１の選択肢が選択された場合、前記第１の検出手段による検出結果を表示させる第１の表示制御手段と、
前記第２の選択肢が選択された場合、指定された接続先に対する前記第２の検出手段による検出結果を表示させる第２の表示制御手段と、
を有することを特徴とする通信装置。
【請求項６】
無線通信可能な範囲に存在する他の通信装置を探索する探索手段を有することを特徴とする請求項５に記載の通信装置。
【請求項７】
前記第１の選択肢が選択された場合、前記第１の検出手段は、前記第１の通信層における接続を行う前に、前記第１の通信層においてサービス検索信号を送信し、該送信したサービス検索信号に対する応答から当該他の通信装置の実行可能なサービスを検出することを特徴とする請求項２乃至６の何れか１項に記載の通信装置。
【請求項８】
前記第２の選択肢が選択された場合、前記探索手段による探索により検出された他の通信装置を一覧表示する手段を更に有することを特徴とする請求項４または６に記載の通信装置。
【請求項９】
前記第２の選択肢が選択された場合、前記探索手段による探索により検出された複数の他の通信装置のうち何れかをユーザ操作に基づいて接続先として指定する第１の指定手段を有することを特徴とする請求項４、６または８に記載の通信装置。
【請求項１０】
前記第２の検出手段は、前記第１の指定手段により指定された他の通信装置と前記第１の通信層における接続を行った後に前記第２の通信層においてサービス検索信号を送信し、該送信したサービス検索信号に対する応答から当該他の通信装置の実行可能なサービスを検出することを特徴とする請求項９に記載の通信装置。
【請求項１１】
前記第１の表示制御手段により表示された複数のサービスから実行するサービスを指定する第２の指定手段を更に有することを特徴とする請求項５項に記載の通信装置。
【請求項１２】
前記第２の指定手段により指定されたサービスを複数の他の通信装置と実行可能な場合、当該複数の他の通信装置から前記指定されたサービスを実行する装置を選択する手段を更に有することを特徴とする請求項１１に記載の通信装置。
【請求項１３】
前記第１の選択肢が選択され、前記第１の検出手段による検出により前記通信装置の実行可能なサービスが検出されなかった場合、前記第２の検出手段による検出を行うことを特徴とする請求項２乃至１２の何れか１項に記載の通信装置。
【請求項１４】
前記第１の検出手段は、ＧＡＳ（Ｇｅｎｅｒｉｃ  Ａｄｖｅｒｔｉｓｅｍｅｎｔ  Ｓｅｒｖｉｃｅ）プロトコルに基づいて他の通信装置が実行可能なサービスを検出することを特徴とする請求項２乃至１３の何れか１項に記載の通信装置。
【請求項１５】
前記第２の検出手段は、ＵＰｎＰ（Ｕｎｉｖｅｒｓａｌ  Ｐｌｕｇ  ａｎｄ  Ｐｌａｙ），
Ｂｏｎｊｏｕｒ及びｍＤＮＳ（Ｍｕｌｔｉｃａｓｔ  Ｄｏｍａｉｎ  Ｎａｍｅ  Ｓｙｓｔｅｍ）のうちの何れかに基づいて他の通信装置が実行可能なサービスを検出することを特徴とする請求項１乃至１４の何れか１項に記載の通信装置。
【請求項１６】
前記第１の検出手段は、ＩＥＥＥ８０２．１１シリーズに準拠した無線通信に基づいて他の通信装置が実行可能なサービスを検出することを特徴とする請求項２乃至１５の何れか１項に記載の通信装置。
【請求項１７】
前記第１の検出手段は、Ｗｉ−Ｆｉ  Ｄｉｒｅｃｔプロトコルに基づいて他の通信装置が実行可能なサービスを検出することを特徴とする請求項２乃至１６の何れか１項に記載の通信装置。
【請求項１８】
前記第１の通信層は、データリンク層であることを特徴とする請求項２乃至１７の何れか１項に記載の通信装置。
【請求項１９】
前記第２の通信層は、ネットワーク層であることを特徴とする請求項２乃至１８の何れか１項に記載の通信装置。
【請求項２０】
通信装置の制御方法であって、
実行するサービスを指定して無線通信を行うための第１の選択肢と接続先を指定して無線通信を行うための第２の選択肢とを少なくとも含む選択肢を、前記通信装置が他の通信装置の実行可能なサービスを検出するサービス検出処理を実行する前に提示する提示工程と、
前記第１の選択肢および前記第２の選択肢を含む複数の選択肢のうちの何れかをユーザ操作に従って選択する選択工程と、
を有することを特徴とする通信装置の制御方法。
【請求項２１】
通信装置の制御方法であって、
実行するサービスを指定して無線通信を行う第１の選択肢または接続先を指定して無線通信を行う第２の選択肢を選択する選択工程と、
前記選択工程において前記第１の選択肢が選択された場合、第１の通信層における通信に基づいて、他の通信装置が実行可能なサービスを検出する第１の検出工程と、
前記選択工程において前記第１の選択肢が選択された場合、前記第１の通信層と異なる第２の通信層における通信に基づいて、他の通信装置が実行可能なサービスを検出する第２の検出手段と、
前記第１の検出工程における検出結果を表示させる第１の表示制御工程と、
指定された接続先に対する前記第２の検出工程における検出結果を表示させる第２の表示制御工程と、
を有することを特徴とする通信装置の制御方法。
【請求項２２】
請求項１乃至１９の何れか１項に記載の通信装置としてコンピュータを動作させるためのプログラム。
【手続補正２】
【補正対象書類名】明細書
【補正対象項目名】００１０
【補正方法】変更
【補正の内容】
【００１０】
上述の課題を解決する手段として、本発明の通信装置は、実行するサービスを指定して無線通信を行うための第１の選択肢と接続先を指定して無線通信を行うための第２の選択肢とを少なくとも含む選択肢を、前記通信装置が他の通信装置の実行可能なサービスを検出するサービス検出処理を実行する前に提示する提示手段と、前記第１の選択肢および前記第２の選択肢を含む複数の選択肢のうちの何れかをユーザ操作に従って選択する選択手段と、を有することを特徴とする。